(57)【特許請求の範囲】
【請求項１】
買い物用バスケットを載置する横アームとバスケットの後面を支える縦アームと軸辺とを有するバスケット保持アームを備え、このバスケット保持アームは、車椅子の車体を構成するフレームのうち車椅子の前面側左右にあってフットレストを支えるように上下に延びるフレームに、縦方向に取り付けた軸受け部材に前記軸辺が回動可能に支持されて、前記バスケットを車椅子の前面側に載置する載置状態と、車椅子の左右側に沿った収納状態とに回動可能であり、前記横アームは、前記載置状態の平面視において前記軸辺に向けて途中部分から外側へ鈍角に折り曲がった形状をなし、前記収納状態において前記バスケット保持アームが前記車椅子の主車輪又は主車輪の外側に並設したホイールよりも外側に出ないように前記車体の左右側面部に沿った状態に収納されることを特徴とする車椅子のバスケット支持装置。
【請求項２】
前記横アームは前記載置状態において若干前上がり状態に傾斜していることを特徴とする請求項１に記載の車椅子のバスケット支持装置。
【発明の詳細な説明】
【０００１】
【発明の属する技術分野】
本発明は、車椅子に買い物用バスケットを載置可能な車椅子のバスケット支持装置に関する。
【０００２】
【従来の技術】
一般に、スーパーマーケットでの買い物は、スーパーマーケットに備え付けの買い物用バスケット（買い物かご）を使用している。この買い物用バスケットは上面開口の合成樹脂製であり、これを手に持って、またはスーパーマーケットに備え付けの手押し車に載せて買い物をするのが一般的である。ところが、車椅子の使用者は、スーパーマーケット等において買い物をする場合には、このバスケットを膝に乗せた状態で買い物をしている姿を見かける。これは、車椅子がバスケットを保持する形態に作られていないためであり、買い物に不便である。
【０００３】
【発明が解決しようとする課題】
本発明は、このような点に鑑みて、車椅子に乗った人の買い物が便利なように買い物用バスケットを簡単に保持できる装置を提供するものである。そして、通常使用時には邪魔にならない構成とすることによって、買い物時と通常使用時の使い分けが便利に行える車椅子のバスケット支持装置を提供するものである。
【０００４】
【課題を解決するための手段】
本発明は、買い物用バスケットを載置する横アームとバスケットの後面を支える縦アームと軸辺とを有するバスケット保持アームを備え、このバスケット保持アームは、車椅子の車体を構成するフレームのうち車椅子の前面側左右にあってフットレストを支えるように上下に延びるフレームに、縦方向に取り付けた軸受け部材３２に前記軸辺が回動可能に支持されて、前記バスケットを車椅子の前面側に載置する載置状態と、車椅子の左右側に沿った収納状態とに回動可能であり、前記横アームは、前記載置状態の平面視において前記軸辺に向けて途中部分から外側へ鈍角に折り曲がった形状をなし、前記収納状態において前記バスケット保持アームが前記車椅子の主車輪又は主車輪の外側に並設したホイールよりも外側に出ないように前記車体の左右側面部に沿った状態に収納されることを特徴とする車椅子のバスケット支持装置を提供する。
【０００５】
これによって、車椅子に乗った人の買い物が便利となり、横アームはバスケット載置状態において軸辺よりも内側に位置するため、収納状態ではバスケット保持アームが車椅子の車体の左右側面部に沿った状態に収納され、車椅子の主車輪又は主車輪の外側に並設したホイールよりも外側に出ないため、通常使用時には邪魔にならない構成となり、買い物時と通常使用時の使い分けが便利に行える装置として効果がある。
【０００６】
また、本発明は、前記横アームは前記載置状態において若干前上がり状態に傾斜していることを特徴とする。
【０００７】
これによって、車椅子に乗った人の買い物が便利となり、通常使用時には邪魔にならない構成となり、買い物時と通常使用時の使い分けが便利に行える装置として効果がある。そして、バスケットは横アームによって載置され、縦アームによって後方への移動が制限されるため、車椅子に乗った人の足にバスケットとその中に収納された品物の荷重がかからないので、車椅子に乗った人も苦痛なく買い物ができ、更に、横アームは載置状態において若干前上がり状態に傾斜するため、バスケットが買い物中に振動によって落下しない安定保持ができる効果がある。
【０００８】
【発明の実施の形態】
次に、本願発明の実施の形態について説明する。図１乃至図６は本発明の実施形態を示す。図１は本発明のバスケット支持装置を備えた車椅子と買い物用バスケットの概略分解斜視図、図２は本発明のバスケット支持装置に買い物用バスケットを載置した状態の説明斜視図、図３は本発明のバスケット支持装置に買い物用バスケットを載置した状態の説明用側面図、図４は本発明のバスケット支持装置の買い物用バスケット載置状態と収納状態の説明用平面図、図５は本発明のバスケット支持装置と車椅子の車体フレームとの結合部分の説明図、図６は本発明のバスケット支持装置と車椅子の車体フレームとの結合部分の説明用斜視図である。
【０００９】
以下、本発明の実施形態を図に基づいて説明する。１は通常の自操式車椅子であり、パイプフレームの結合で構成された車体２の両側には、車軸によって回転自在に主車輪３が取り付けられ、車輪３の内側には、アームレスト４間に座席を形成するシート６と、シート６から車体２の後上部に形成したグリップ５にかけて形成したバックレスト７が設けられ、この他に、車椅子１の前面側左右に上下に延びるフレーム８の下部に設けたフットレスト９と、主車輪３の前方にあって車体２の縦フレームに回転自在に取り付けたキャスター１０を備え、車椅子１に乗った人が車輪３の外側に間隔を存して取り付けられたホイール１１を握って操作することによって、車椅子１を前進、後退、回転などの操作できる構成である。この車椅子１は、形状は種々あるが一般に市場に出回っている形態の車椅子の構成であり、この他にブレーキ装置１２等が備えられている。
【００１０】
本発明は、この様な車椅子１にスーパーマーケットに備え付けの買い物用バスケット（買い物かご）１５を載置可能なバスケット支持装置を提供するものであり、以下、その構成について説明する。２０は、バスケット１５を車椅子１に保持するための車椅子のバスケット支持装置である。このバスケット支持装置２０は、車椅子１の前面側に回動したとき買い物用バスケット１５を車椅子１の前面側に載置状態となり、車椅子１の左右側に回動したとき収納状態となるように、車椅子１の車体２を構成するフレームの前面側左右のフレーム８に回動可能に取り付けられている。
【００１１】
バスケット支持装置２０が取り付けられるこの前面側左右のフレームは、車体２の前面側に設けられるフレームのいずれかであればよい。実施形態では、左右フットレスト９を支えるフレーム８の中間に取り付けた構成である。
【００１２】
バスケット支持装置２０は、左右のフレーム８にそれぞれ設けられており、車椅子１の前面側に左右対称に配置された構成である。そのバスケット支持装置２０の構成を以下に説明する。２４は上端に係止部２５を突出形成した第１係止具であり、フレーム８を挟むように螺子２２、２３でフレーム８に取り付けた固定具２１の一端部に螺子２３で固定している。２６は第１係止具２４に溶接にて縦方向に固定した支持筒である。固定具２１、第１係止具２４及び支持筒２６は、左右のフレーム８に取り付けた固定側の軸受け部材３２を構成する。２７は軸受け部材３２に回動自在に取り付けたバスケット保持アームであり、バスケット１５を載置する横アーム２８とバスケット１５の後面を支える縦アーム２９とを有する。横アーム２８は、その後部を下方に折り曲げた軸辺２８Ａを有し、この軸辺２８Ａは支持筒２６に回動自在に支持されている。３０は横アーム２８の軸辺２８Ａに固定された環状の第２係止具であり、周辺には、バスケット保持アーム２７が支持筒２６に対して左右に回動するとき、第１係止具２４の係止部２５と係止してその左右の回動を制限する係止凹部３１を有する。第２係止具３０の下面が支持筒２６の上端面に当接しており、これによってバスケット保持アーム２７を車椅子１の前方側と側面側へ円滑に回動できる。横アーム２８は、図４に示すように、車椅子１の前面側に回動した状態Ｐにおいて軸辺２８Ａの途中部分から外側へ鈍角に折り曲がった形状をしている。
【００１３】
これによって、図４に示すように、車椅子１の左右側に回動したとき収納状態Ｑにおいて、バスケット保持アーム２７は、主車輪３又は主車輪３の外側に並設したホイール１１よりも外側に出ないように、車椅子１の車体２の左右側面部に沿った状態に収納される。このため、バスケット保持アーム２７が車椅子１の左右側面部から張り出さないように制限できる。
【００１４】
上記の構成のバスケット支持装置２０は、左右のフレーム８に左右対称に設けられる構成である。バスケット保持アーム２７は、図４のように車椅子１の前面側に回動した状態Ｐで、買い物用バスケット１５を車椅子１の前面側に載置状態となり、車椅子１の左右側に回動した状態Ｑで、収納状態となる。バスケット保持アーム２７が、前面側に回動した位置Ｐと、車椅子１左右側に回動した収納状態Ｑを保持できるように、ラッチ機構３３を設けている。このラッチ機構３３は、軸受け部材３２の支持筒２６に溶接にて取り付けた筒体３４の先端部に、バネ３５によって押圧された球体３６が設けられ、この球体３６が支持筒２６を貫通して軸辺２８Ａに形成した凹部３７に嵌合する構成である。３８は、バネ３５が筒体３４から飛び出さないように保持するストッパ螺子である。
【００１５】
この構成において、バスケット保持アーム２７にやや強い回動作用力を手で加えることによって、バネ３５の作用力に抗して球体３６が凹部３７から外れ、球体３６が軸辺２８Ａの周面を押しつつバスケット保持アーム２７を回動できる。前面側に回動した位置Ｐにおいて、係止凹部３１の一端と係止部２５が係合したとき又は係合の直前で、球体３６が第１の凹部３７に嵌合する。また、収納状態Ｑにおいて、係止凹部３１の他端と係止部２５が係合したとき又は係合の直前で、球体３６が第２の凹部３７に嵌合する関係にある。係止凹部３１と係止部２５とで、バスケット保持アーム２７の回動範囲の制限装置を構成する。
【００１６】
バスケット１５をバスケット保持アーム２７に載置した状態において、バスケット１５の荷重は横アーム２８で支え、バスケット１５の後面を縦アーム２９で支えることによってバスケット１５の後方への移動を阻止する。横アーム２８は、車椅子１の前面側に回動したバスケット載置状態Ｐにおいて、若干前上がり状態になるように傾斜している。これによって、バスケット１５が買い物中に振動によって落下しない安定保持ができる。
【００１７】
上記の構成において、バスケット１５をバスケット保持アーム２７に載置した状態において、縦アーム２９によって、車椅子１とバスケット１５との間には、車椅子１に乗る人の脚Ｈが入る空間Ｓが保たれる。このため、車椅子１に乗った状態において、バスケット１５をバスケット保持アーム２７に載置することによって、車椅子１に乗る人の脚Ｈの前方且つ上方にバスケット１５が保持されることになり、車椅子１に乗る人の脚Ｈにバスケット１５及びそれに収納された品物の荷重がかかることがない。
【００１８】
バスケット１５が大きい場合には、ラッチ機構３３によって、バスケット保持アーム２７の前方への回動位置をＰ位置よりも外側よりのＲ位置に設定できる。この場合、図４にＲで示す位置で横アーム２８が一次停止できるように、球体３６と第１の凹部３７との嵌合位置を設定することによって達成できる。
【００１９】
本発明は、上記実施形態に限定されず、本発明の技術的範囲を逸脱しないかぎり種種の変更が考えられ、それに係る種種の実施形態を包含するものである。
【００２０】
【発明の効果】
第１請求項の発明では、車椅子に乗った人の買い物が便利となる。そして、横アームはバスケット載置状態において軸辺よりも内側に位置するため、収納状態ではバスケット保持アームが車椅子の車体の左右側面部に沿った状態に収納され、車椅子の主車輪又は主車輪の外側に並設したホイールよりも外側に出ないため、通常使用時には邪魔にならない構成となり、買い物時と通常使用時の使い分けが便利に行える装置として効果がある。
【００２１】
第２請求項の発明では、車椅子に乗った人の買い物が便利となり、通常使用時には邪魔にならない構成となり、買い物時と通常使用時の使い分けが便利に行える装置として効果がある。そして、バスケットは横アームによって載置され、縦アームによって後方への移動が制限されるため、車椅子に乗った人の足にバスケットとその中に収納された品物の荷重がかからないので、車椅子に乗った人も苦痛なく買い物ができ、更に、横アームは載置状態において若干前上がり状態に傾斜するため、バスケットが買い物中に振動によって落下しない安定保持ができる効果がある。
【図面の簡単な説明】
【図１】本発明のバスケット支持装置を備えた車椅子と買い物用バスケットの概略分解斜視図である。
【図２】本発明のバスケット支持装置に買い物用バスケットを載置した状態の説明斜視図である。
【図３】本発明のバスケット支持装置に買い物用バスケットを載置した状態の説明用側面図である。
【図４】本発明のバスケット支持装置の買い物用バスケット載置状態と収納状態の説明用平面図である。
【図５】本発明のバスケット支持装置と車椅子の車体フレームとの結合部分の説明図である。
【図６】本発明のバスケット支持装置と車椅子の車体フレームとの結合部分の説明用斜視図である。
【符号の説明】
１……車椅子
２……車体
８……車椅子の前側の左右フレーム
９……フットレスト
１５……買い物用バスケット
２０……バスケット支持装置
２７……バスケット保持アーム
２８……横アーム
２９……縦アーム
３２……軸受け部材
３３……ラッチ機構
【図１】
0003582829.tif 000002
【図２】
0003582829.tif 000003
【図３】
0003582829.tif 000004
【図４】
0003582829.tif 000005
【図５】
0003582829.tif 000006
【図６】
0003582829.tif 000007